(57)【要約】【課題】垂直な垂直測定と所定角度回動した傾斜測定が行なえるようにする。【解決手段】回動軸１１を支持としてベース台３に回動自在に支持された上下に長い装置本体５に、駆動手段１３によって上下にスライド可能な可動体２５とその可動体２５に取付けられ被測定物５３に対して所定の深さまで貫入される測定子２９を先端に備えた硬さ測定部３１を設け、傾斜角度調整手段１５によって装置本体５を垂直な垂直測定姿勢から所定角度回動した傾斜測定姿勢とし、前記測定子２９によって垂直測定、傾斜測定を行なうようにする。【選択図】図１
2010032433.tif 000002
【特許請求の範囲】
【請求項１】
ベース台と、前記ベース台に回動軸を支点として回動自在に支持された上下に長い装置本体と、前記装置本体を垂直な垂直測定姿勢から所定角度回動した傾斜測定姿勢まで回動させる傾斜角度調整手段と、前記装置本体の前面に支持され駆動手段によって上下にスライド可能な可動体と、前記可動体に装着支持され被測定物に対して所定の深さまで貫入される測定子を先端に備えた硬さ測定部とを有していることを特徴とする被測定物の硬さ試験測定装置。
【請求項２】
前記測定子は、被測定物に対して線状もしくは数センチ角の矩形や丸につくられた面状の貫入抵抗をもって貫入される形状に形成され、硬さ測定部に交換自在に取付けられていることを特徴とする請求項１記載の被測定物の硬さ試験測定装置。
【請求項３】
前記測定子は、ベース台よりさらに下方へ下降する貫入下降ストロークを備えていることを特徴とする請求項１又は２記載の被測定物の硬さ試験測定装置。
【発明の詳細な説明】
【技術分野】
【０００１】
本発明は訓練用馬場をはじめとした各種馬場に用いる馬場材の硬さ等を調べるのに適する被測定物の硬さ試験測定装置に関する。
【背景技術】
【０００２】
一般に砂をメインとする馬場に対して、砂にクッション材やバインダー等を混合した馬場材によって作られた訓練用馬場が考えられている。
【０００３】
この馬場材によって作られた訓練用馬場にあっては、馬の脚への負担を軽減し訓練効果の増強を図れることが近年の研究結果からわかるようになったため、訓練用馬場をはじめとした各種馬場への導入する動きが高まっている。
【発明の開示】
【発明が解決しようとする課題】
【０００４】
馬の脚力の増強が図れる訓練用馬場にあっては、馬場の硬さ、クッション値等の条件が重要な要素となり、設定された値に基づく訓練用馬場材が求められる。
【０００５】
訓練用馬場の馬場材にあっては、外国から輸入する場合と国内で作る場合があるが、規格が統一されていないのが現状となっている。
【０００６】
馬場材を作るには、砂に対して硬さ、クッション値を左右する材料の配合割合を設定することである程度、同じ条件の馬場材を作ることができるが、できあがった馬場材の硬さ等を具体的に数値化して見ることはできなかった。
【０００７】
この場合、硬さ等の測定は、公知の硬さ試験機等を用いることで調べることは可能であるが、特に馬場材の場合、馬の蹄は単に上から作用するだけではなく斜めからも作用するため、上方から行なう公知の単一な測定だけではデータ不足となる不具合を招き、各馬に合った最適な馬場材が得られにくい問題をかかえる。
【０００８】
そこで、本発明にあっては、上方からの垂直な垂直測定に加えて斜めからの傾斜測定が行なえる硬さ試験装置を提供することを目的とする。
【課題を解決するための手段】
【０００９】
前記目的を達成するために、本発明にあっては、ベース台と、前記ベース台に回動軸を支点として回動自在に支持された上下に長い装置本体と、前記装置本体を垂直な垂直測定姿勢から所定角度回動した傾斜測定姿勢まで回動させる傾斜角度調整手段と、前記装置本体の前面に支持され駆動手段によって上下にスライド可能な可動体と、前記可動体に装着支持され被測定物に対して所定の深さまで貫入される測定子を先端に備えた硬さ測定部とを有していることを特徴とする。
【００１０】
前記測定子の好ましい実施形態としては、被測定物に対して例えば線状の貫入抵抗をもって貫入される形状に形成し、硬さ測定部に対して交換自在に取付けるようにすることで、各馬の蹄に合った形状の測定子で測定が行なえるようにすることが望ましい。
【００１１】
あるいは、ベース台よりさらに下方へ下降する貫入下降ストロークを備えるようにすることで、実際の馬場に直接持ち込み現場での測定が行えるようにすることが望ましい。
【発明の効果】
【００１２】
本発明によれば、装置本体に設けられた硬さ測定部を垂直な垂直測定姿勢とすることで、上からの垂直な垂直測定を行なうことができる。
【００１３】
また、所定角度回動した傾斜測定姿勢とすることで、斜めからの傾斜測定を行なうことが可能となり、組合せた垂直測定、傾斜測定を容易、かつ、迅速に行なうことができる。
【発明を実施するための最良の形態】
【００１４】
以下、図１乃至図７の図面を参照しながら本発明の実施形態について具体的に説明する。
【００１５】
図１は垂直測定姿勢時の硬さ試験装置の概要側面図、図６は傾斜測定姿勢時の概要側面図をそれぞれ示している。
【００１６】
硬さ試験測定装置１は、所定の設置面積を備えたベース台３の上に上下に長い装置本体５が設けられている。装置本体５は背面に取付けブラケット７が設けられ、取付けブラケット７は前記ベース台３から立上がる一対の取付け板９に回転軸１１を支点として回動自在に支持されている。取付け板９の一方には前記回動軸１１を支点とする円弧状のガイド溝１３が設けられ、ガイド溝１３には手動タイプとなる傾斜角度調整手段１５となるボルト１７が臨んでいる。
【００１７】
ボルト１７は図５に示す如く取付け板９側から挿入され、そのねじ部１７ａは前記取付けブラケット７に溶着されたナット部１９と螺合し合う構造となっている。
【００１８】
したがって、前記ボルト１７を手で緩めることでボルト１７はガイド溝１３に沿ってスライド可能となるため、再度ボルト１７を締付ければ、図１に示す如く垂直な垂直測定姿勢（実線）から図６に示す如く所定角度回動した傾斜測定姿勢（実線）までの装置本体５の回動が可能となる。
【００１９】
この場合、ガイド溝１３側に傾斜測定姿勢となる傾斜角度の角度目盛２１を、取付けブラケット７側に前記角度目盛２１を指し示す角度ゲージ２３をそれぞれ設けるようにすることが望ましい。
【００２０】
また、傾斜角度調整手段１５は、手動タイプに限定されず動力タイプであってもよい。
【００２１】
装置本体５の前面には可動体２５が、その可動体２５には取付け部材２７によって先端に測定子２９を備えた硬さ測定部３１がそれぞれ設けられている。
【００２２】
可動体２５は、駆動手段３３によって上下動が可能となっている。駆動手段３３は本実施形態にあっては図１に示すように駆動モータ３５によって正転、逆転可能なねじ杵３７とそのねじ杆３７に螺合し合いねじ杆３７の正転及び逆転により上下動する昇降体３９とからなり、前記昇降体３９に可動体２５が支持された構造となっている。
【００２３】
硬さ測定部３１を支持する前記取付け部材２７は、図３に示す如く両側壁部４１と天井部４３とが構成され、両側壁部４１の内、右側の側壁部４１の内側にはねじ操作部４５によって移動する押圧体４７が設けられている。押圧体４７はねじ操作部４５により内側へ向け前進することで硬さ測定部３１の側面を押圧し、反対側の側壁部４１とで固定支持するようになっている。天井部４３は長孔４９に沿って設けられた複数の固定ねじ５１を緩めることで、上下動が可能となり、硬さ測定部３１の上面を固定支持し、正面からみて左右、上方への動きを確実に拘束した状態で固定支持することが可能となっている。
【００２４】
硬さ測定部３１は、前記可動体２５に設けられた取付け部材２７によって着脱自在に取付けられ、先端の測定子２９が下降し馬場材５３内に貫入することで貫入時の貫入抵抗（荷重）から硬さ、クッション値等を求めるロードセルタイプとなっている。測定値は表面の表示窓５５にデジタル表示される。
【００２５】
測定子２９は、図４に示す如く硬さ測定部３１の結合部５７に対してねじ止めによる着脱が可能となる取付けねじ部２９ａと挿入部２９ｂとからなり、特に、挿入部２９ｂは点状の貫入ではなく、線状の貫入抵抗をもって馬場材５３内に貫入される形状に作られている。
【００２６】
挿入部２９ｂは硬さ測定部３１の最下降時にベース台３に設けられた測定開口部（図示していない）からさらに下方への貫入（図１仮想線）が可能となり、硬さ試験測定装置１を実際の馬場に直接持ち込み設置することで、敷設状態にある訓練用馬場の測定を直接行なうことが可能となる。
【００２７】
測定子２９の挿入部２９ｂの形状は、線状に貫入される形状となっているが、数センチ角の矩形や丸につくられた面状でもよい。好ましくは蹄に近い馬蹄形の形状になっていることが望ましい。
【００２８】
このように構成された硬さ試験測定装置１によれば、傾斜角度調整手段１５を操作して装置本体５を図２に示した垂直な垂直測定姿勢とすることで被測定物５３に対して上方から測定子２９を垂直に下降貫入させることで垂直方向の例えば、馬場材の測定を行なうことができる。
【００２９】
次に、図６に示す如く装置本体５を所定角度回動させた傾斜測定姿勢とすることで被測定物５３に対して所定の角度をもって測定子２９を下降貫入させることで傾斜方向の馬場材の測定を行なうことができるため、材料の性能を正確に把握することで各馬にあった最適な馬場材の決定が行なえるようになる。
【００３０】
一方、硬さ試験測定装置１を敷設された実際の馬場に持ち込み設置することで、図１（仮想線）、図７に示すように馬場の垂直方向の測定と傾斜方向の測定が現場において直接行なえるようになり、敷設された状態にある馬場材の診断が適格に行なえる。
【００３１】
なお、本実施形態にあっては、被測定物５３を馬場材として説明したが、測定子２９を交換することで他の被測定物の測定に利用することも可能である。
【図面の簡単な説明】
【００３２】
【図１】本発明にかかる被測定物の硬さ試験測定装置の概要側面図。
【図２】硬さ試験測定装置の垂直測定姿勢時の概要側面図。
【図３】硬さ試験測定装置の概要正面図。
【図４】測定子の取付け状態を示した拡大断面図。
【図５】傾斜角度調整手段を示した断面説明図。
【図６】硬さ試験測定装置の傾斜測定姿勢時の概要側面図。
【図７】馬場を直接測定する硬さ試験測定装置の傾斜測定姿勢時の概要側面図。
【符号の説明】
【００３３】
３    ベース台
５    装置本体
１１    回動軸
１３    ガイド溝
１５    傾斜角度調整手段
２５    可動体
２９    測定子
３１    硬さ測定部
３３    駆動手段
５３    被測定物
【図１】
2010032433.tif 000003
【図２】
2010032433.tif 000004
【図３】
2010032433.tif 000005
【図４】
2010032433.tif 000006
【図５】
2010032433.tif 000007
【図６】
2010032433.tif 000008
【図７】
2010032433.tif 000009